(57)【要約】【課題】集合住宅の入居者用の暗証番号と内覧者用の暗証番号を区別し、不正な侵入や盗難を防止し、防犯効果を向上することを課題とする。【解決手段】解錠を可能とする第２暗証番号が設定された状態において、第１暗証番号が設定された場合には、制御部２１により第２暗証番号を無効化し、一方第２暗証番号が無効化された状態において、第１暗証番号がクリアされた場合には、制御部２１により第２暗証番号を有効化するように構成される。【選択図】      図２
2004218293.tif 000002
【特許請求の範囲】
【請求項１】
複数のキースイッチを介して入力された暗証番号に基づいて、錠を解錠制御する暗証番号入力式錠装置において、
解錠を可能とする第２暗証番号が設定された状態において、第１暗証番号が設定された場合には、第２暗証番号を無効化し、一方第２暗証番号が無効化された状態において、第１暗証番号がクリアされた場合には、第２暗証番号を有効化する暗証番号制御手段と、
設定された第１暗証番号又は第２暗証番号を記憶し、クリアされた第１暗証番号又は第２暗証番号は消去される記憶手段と
を有することを特徴とする暗証番号入力式錠装置。
【請求項２】
前記暗証番号入力式錠装置は、集合住宅に使用され、
前記第１暗証番号は、前記集合住宅の入居者が入居中に使用する暗証番号として割り当てられ、
前記第２暗証番号は、前記集合住宅の入居希望者が、室内を内覧する際に使用する暗証番号として割り当てられる
ことを特徴とする請求項１記載の暗証番号入力式錠装置。
【請求項３】
前記第２暗証番号は、複数の番号が設定されている場合に、番号のすべてあるいは一部が随時変更される
ことを特徴とする請求項１又は２記載の暗証番号入力式錠装置。
【発明の詳細な説明】
【０００１】
【発明の属する技術分野】
この発明は、複数のキースイッチを介して所定の暗証番号を入力して解錠する暗証番号入力式錠装置に関する。
【０００２】
【従来の技術】
近年、ドアロック制御装置の施解錠は、金属製のキーを使用する他に、テンキーを含む複数のスイッチにより予め登録された暗証番号と同一の番号を入力することにより、電子錠を解錠するキーレスエントリーシステムが知られている。この種の技術としては、例えば以下に示す文献に記載されものが知られている（特許文献１及び２参照）。
【０００３】
このようなキーレスエントリーシステムを、賃貸用の集合住宅に適当した場合に、集合住宅の各部屋に対応した暗証番号としては、使用者用、工事、メンテナンス業者（コンストラクション）用、ならびに管理者用のものがそれぞれ用意されていた。各部屋の使用者、工事業者ならびに管理者は、各部屋に対応した暗証番号により、各部屋の錠を解錠していた。
【０００４】
このようなシステムにおいて、住宅の入居希望者が、事前に空き部屋を内覧したい場合には、内覧時に入居希望者は、固定的に用意された暗証番号を住宅の管理者側から通知され、通知された暗証番号を入力することにより空き部屋の錠を解錠し、空き部屋を内覧していた。
【０００５】
【特許文献１】
特開昭５６−１０５０７６号公報
【０００６】
【特許文献２】
特公昭５９−３２６３２号公報
【０００７】
【発明が解決しようとする課題】
上記住宅用のキーレスエントリーシステムにおいては、内覧者が部屋を内覧する際に使用する暗証番号は、固定的に用意されていた。例えば、この暗証番号が、各空き部屋に共通に設定されている場合には、他の空き部屋も自由に解錠されてしまうおそれがあり、防犯上問題があった。一方、それぞれの空き部屋ごとに、暗証番号を用意した場合には、暗証番号の管理が煩雑になるといった不具合を招くことになる。
【０００８】
そこで、この発明は、上記に鑑みてなされたものであり、その目的とするところは、集合住宅の入居者用の暗証番号と内覧者用の暗証番号を区別し、不正な侵入や盗難を防止し、防犯効果を向上させた暗証番号入力式錠装置を提供することにある。
【０００９】
【課題を解決するための手段】
上記目的を達成するために、課題を解決する第１の手段は、複数のキースイッチを介して入力された暗証番号に基づいて、錠を解錠制御する暗証番号入力式錠装置において、解錠を可能とする第２暗証番号が設定された状態において、第１暗証番号が設定された場合には、第２暗証番号を無効化し、一方第２暗証番号が無効化された状態において、第１暗証番号がクリアされた場合には、第２暗証番号を有効化する暗証番号制御手段と、設定された第１暗証番号又は第２暗証番号を記憶し、クリアされた第１暗証番号又は第２暗証番号は消去される記憶手段とを有することを特徴とする。
【００１０】
請求項２記載の発明は、請求項１記載の発明において、前記暗証番号入力式錠装置は、集合住宅に使用され、前記第１暗証番号は、前記集合住宅の入居者が入居中に使用する暗証番号として割り当てられ、前記第２暗証番号は、前記集合住宅の入居希望者が、室内を内覧する際に使用する暗証番号として割り当てられることを特徴とする。
【００１１】
請求項３記載の発明は、請求項１又は２記載の発明において、前記第２暗証番号は、複数の番号が設定されている場合に、番号のすべてあるいは一部が随時変更されることを特徴とする。
【００１２】
【発明の実施の形態】
以下、図面を用いてこの発明の実施形態を説明する。
【００１３】
図１はこの発明の一実施形態に係る暗証番号入力式錠装置の構成を示す図である。図１において、この実施形態の暗証番号入力式錠装置１は、例えば賃貸用の集合住宅のキーレスエントリーシステムに使用され、フレーム２に取り付けられたロック装置３を備えている。ロック装置３には、図示しない機械的装置によりハンドル４が連結されている。ロック装置３には、従来のロック装置と同様にハンドル４により操作されるラッチボルト５とシリンダー錠６により、施解錠されるデッドボルト７が設けられている。シリンダー錠６の上部のフレーム２には、０〜９のテンキーを含むキーボードで構成される複数の入力スイッチ８が設けられている。また、暗証番号入力式錠装置１には、入力スイッチ８を介して入力される暗証番号により解錠を制御する他、後述する暗証番号の設定、変更、クリアならびに一時無効化を実行制御し、暗証番号を制御管理する暗証番号制御手段として機能する制御回路（図示せず）を備えている。
【００１４】
図２は上記制御回路の構成示す図である。図２において、制御回路は、ワンチップマイクロコンピュータ等のＩＣにより構成され、プログラムにより各種制御動作を行う制御部２１と、設定された暗証番号を記憶する記憶部２２を備えて構成されている。
【００１５】
制御部２１は、入力スイッチ８が接続され、この入力スイッチ８を介して暗証番号が制御部２１に入力される。制御部２１は、ロック装置３のデッドボルト７を操作するための被駆動装置としてのソレノイド又はモータ等のアクチュエータからなる施解錠制御部２３が接続され、入力された暗証番号に基づいて施解錠制御部２３を駆動制御して解錠する。また、制御部２１には、ブザー又はランプ等の表示部２４が接続されている。制御部２１は、図３の機能マトリックスに示す機能を有する、第１〜第４暗証番号を管理制御する。
【００１６】
図３において、この実施形態の暗証番号入力式錠装置では、各部屋に対して第１暗証番号、第２暗証番号、第３暗証番号ならびに第４暗証番号の４つの暗証番号が設定可能となる。第１暗証番号は、集合住宅の各部屋の入居者が使用する、入居者用の暗証番号として割り当てられる。第２暗証番号は、空き部屋の入居希望者が室内を内覧する際に使用される、内覧用の暗証番号として割り当てられる。第３暗証番号は、工事、メンテナンス業者が使用する、コンストラクション用の暗証番号に割り当てられる。第４暗証番号は、住宅を管理する管理者が使用する、管理者用の暗証番号に割り当てられる。
【００１７】
図３に示すように、入居者用の第１暗証番号は、暗証番号の入力により解錠できる機能の他に、第１、第２又は第４暗証番号の入力後、第１暗証番号の設定又は変更が可能となり、第１又は第４暗証番号の入力後、第１暗証番号のクリアが可能となり、第４暗証番号の入力後、第１暗証番号の一時無効化が可能となる。
【００１８】
内覧用の第２暗証番号は、第２暗証番号の入力により解錠できる機能の他に、第４暗証番号の入力後、第２暗証番号の設定又は変更が可能となり、第４暗証番号の入力後、第２暗証番号のクリアが可能となり、第４暗証番号の入力後、第２暗証番号の一時無効化が可能となる。
【００１９】
また、第１暗証番号が設定されている場合には、内覧用の第２暗証番号は、無効化される。さらに、第１暗証番号がクリアされた場合には、内覧用の第２暗証番号は、有効化される。このような第２暗証番号は、ローリング（ワンタイム）化の手法により、随時有効化される番号が変更される。変更の方法としては、様々な手法が考えられるが、例えば日付や使用した番号、あるいは予め暗証番号が登録されたテーブルに基づいて任意に変更することができる。また、第２暗証番号が複数用意されて無効化される場合は、一括して無効化される。一方、第２暗証番号が複数用意され、無効化された番号を再度有効化する場合には、用意されたすべての番号あるいは一部の番号を有効化するようにしてもよい。
【００２０】
コンストラクション用の第３暗証番号は、第３暗証番号の入力により解錠できる機能の他に、第３又は第４暗証番号の入力後、第３暗証番号の設定又は変更が可能となり、第４暗証番号の入力後、第３暗証番号のクリアが可能となり、第４暗証番号の入力後、第３暗証番号の一時無効化が可能となる。
【００２１】
また、第１暗証番号が設定されている場合には、コンストラクション用の第３暗証番号は、無効化される。さらに、第１暗証番号がクリアされた場合には、コンストラクション用の第３暗証番号は、有効化される。
【００２２】
管理者用の第４暗証番号は、暗証番号の入力により解錠できる機能の他に、第４暗証番号の入力後、第４暗証番号の設定又は変更が可能となる。第１、第３ならびに第４暗証番号は、本装置の電源となる電池の交換時に必要となる暗証番号に割り当てられる。
【００２３】
このような、第１〜第４暗証番号は、それぞれ独立して１又は複数の番号を設定することが可能である。設定された第１〜第４暗証番号は、制御部２１の制御の下に記憶部２２に記憶され、記憶部２２に記憶された暗証番号の内、クリアされた暗証番号は、制御部２１の制御の下に記憶部２２から消去される。また、第１〜第４暗証番号は、使用状況等の暗証番号の管理が管理者側に用意されたパーソナルコンピュータ等により一括管理されている。
【００２４】
次に、入居者用の第１暗証番号と、内覧用の第２暗証番号ならびにコンストラクション用の第３暗証番号との有効化／無効化の設定手順を、図４に示すフローチャートを参照して説明する。図４に示すフローチャートの手順は、プログラムに基づいて制御部２１により実行される。
【００２５】
図４において、まず初期設定として、第２暗証番号、第３暗証番号ならびに第４暗証番号をそれぞれ設定（ＳＥＴ）し、設定されたそれぞれの暗証番号を記憶部２２に記憶する（ステップＳ４０１〜Ｓ４０３）。初期設定が行われた後、入居者用の第１暗証番号が設定されているか否かを判別し（ステップＳ４０４）、第１暗証番号が設定されている場合には、設定されている暗証番号を記憶部２２に記憶する（ステップＳ４０５）。
【００２６】
一方、第１暗証番号が設定されていない場合には、第１暗証番号が削除されているか否かを判別する（ステップＳ４０６）。判別結果において、第１暗証番号が削除されている場合には、第１暗証番号を記憶部２２から消去する（ステップＳ４０７）。一方、第１暗証番号が削除されていない場合には、入力スイッチ８を介して暗証番号が入力されたか否かを判別する（ステップＳ４０８）。
【００２７】
判別結果において、暗証番号が入力されていない場合には、ステップＳ４０６の第１暗証番号が削除されているか否かを再度判別する。一方、暗証番号が入力された場合には、第１暗証番号が設定されて有効化されているか否かが判別される（ステップＳ４０９）。判別結果において、第１暗証番号が設定されて有効化されている場合には、ステップＳ４０８で入力された暗証番号と第１暗証番号とが一致するか否かを判別する（ステップＳ４１０）。判別結果において、入力された暗証番号と第１暗証番号が一致した場合には、入力された暗証番号により解錠される（ステップＳ４１２）。
【００２８】
一方、入力された暗証番号と第１暗証番号が一致しない場合には、入力された暗証番号と管理者用の第４暗証番号が一致するか否かを判別する（ステップＳ４１１）。判別結果において、入力された暗証番号と第４暗証番号が一致した場合には、入力された暗証番号により解錠される（ステップＳ４１２）。一方、入力された暗証番号と第４暗証番号が一致しない場合には、ステップＳ４０４の処理に戻り、第１暗証番号が設定されているか否かを再度判別する。
【００２９】
一方、ステップＳ４０９の判別処理において、第１暗証番号が設定されていない場合には、入力された暗証番号が内覧用の第２暗証番号と一致したか否かを判別する（ステップＳ４１３）。判別結果において、入力された暗証番号が第２暗証番号と一致した場合には、入力された暗証番号により解錠される（ステップＳ４１２）。一方、入力された暗証番号が第２暗証番号と一致しない場合には、入力された暗証番号がコンストラクション用の第３暗証番号と一致したか否かを判別する（ステップＳ４１４）。判別結果において、入力された暗証番号が第３暗証番号と一致した場合には、入力された暗証番号により解錠される（ステップＳ４１２）。一方、入力された暗証番号が第３暗証番号と一致しない場合には、上述したステップＳ４１１の処理を行う。
【００３０】
このように、入居者用の第１暗証番号が設定されている場合には、内覧用の第２ならびにコンストラクション用の第３暗証番号は無効化され、第２ならびに第３暗証番号の入力により解錠することはできなくなる。一方、第１暗証番号がクリアされて設定されていない場合には、第２ならびに第３暗証番号は有効化され、第２又は第３暗証番号の入力により解錠することが可能となる。
【００３１】
従って、この実施形態においては、入居者用の第１暗証番号が設定されると、内覧用の第２の暗証番号は無効化され、第１暗証番号がクリアされると、第２暗証番号が再度有効化されるようになるので、内覧時に入居希望者に通知された第２暗証番号を使用して内覧時以外に解錠することによる、不正な侵入や盗難が防止され、防犯効果を向上させることが可能となる。
【００３２】
このような第１〜第４暗証番号は、実際に図５に示すようにして運用される。図５において、集合住宅の施工時に、この実施形態の暗証番号入力式錠装置を各部屋に取り付けた後、工事あるいはメンテナンス時には、工事、メンテナンス業者は第３暗証番号を使用して解錠し、工事、メンテナンスを行う（図５の（１）に示す）。空き部屋の入居希望者は、内覧時に管理者側から通知された第２暗証番号を使用して解錠し、室内を内覧する（図５（２）に示す）。入居者は、入居時に所望の第１暗証番号を設定する。この時、第２ならびに第３の暗証番号は無効化される（図５（３）に示す）。
【００３３】
第１暗証番号の設定後、入居者は設定した第１暗証番号で解錠する（図５（４）に示す）。入居者が退去する時には、入居者は設定した第１暗証番号をクリアする（図５（５−１）に示す）。あるいは、第１暗証番号のクリア作業をメンテナンス業者が行うようにしてもよい（図５（５−２））。この場合には、メンテナンス業者は入居者が退去する時に入居者から第１暗証番号を教えてもらうようにすればよい。もしくは、管理者が管理者用の第４暗証番号を使用して第１暗証番号をクリアするようにしてもよい（図５（５−３）に示す）。入居中のメンテナンス等、解錠を必要とし、入居者が不在の場合には、管理者立ち会いのもとで管理者用の第４暗証番号を使用して解錠する（図５（６）に示す）。
【００３４】
【発明の効果】
以上説明したように、この発明によれば、第１暗証番号が設定されると、第２の暗証番号は無効化され、第１暗証番号がクリアされると、第２暗証番号が再度有効化されるようにしたので、内覧時に入居希望者に通知された第２暗証番号を使用して内覧時以外に解錠することによる、不正な侵入や盗難が防止され、防犯効果を向上させた暗証番号入力式錠装置を提供することができる。
【図面の簡単な説明】
【図１】この発明の一実施形態に係る暗証番号入力式錠装置の構成を示す図である。
【図２】制御回路の構成を示す図である。
【図３】第１〜第４暗証番号の機能マトリックスを示す図である。
【図４】第１暗証番号と第２暗証番号ならびに第３暗証番号との有効化／無効化の設定手順を示すフローチャートを示す図である。
【図５】第１〜第４暗証番号の運用例を示す図である。
【符号の説明】
１  暗証番号入力式錠装置
２  フレーム
３  ロック装置
４  ハンドル
５  ラッチボルト
６  シリンダー錠
７  デッドボルト
８  入力スイッチ
２１  制御部
２２  記憶部
２３  施解錠制御部
２４  表示部
【図１】
2004218293.tif 000003
【図２】
2004218293.tif 000004
【図３】
2004218293.tif 000005
【図４】
2004218293.tif 000006
【図５】
2004218293.tif 000007